(57)【要約】【課題】ある程度の通水性を有し、雪だまりによる溢水を防止し、かつ、十分な融雪機能を備える側溝用融雪具および融雪用側溝構造体を提供する。【解決手段】側溝用融雪具１は、側溝ブロック５の上部開口部に載置可能な蓋部材２と雪堰止部材４とからなる。蓋部材は、投雪用開閉部３ａ，３ｂを備え、雪堰止部材は、板状部４１と、板状部４１の上方に設けられた側溝ブロック５に載置可能な懸架部４２ａ，４２ｂと、懸架部と板状部を連結し、通水を許容する連結部４３，４４を備える。雪堰止部材は、懸架部が、側溝ブロックに載置された状態において、板状部の下端が側溝ブロックの内底面に当接し保持される。板状部は、中央通水用切欠部４５と、側部下部通水部８３、８４を形成する側部下部切欠部４６ａ，４６ｂを備える。【選択図】図２
2019019524.tif 000002
【特許請求の範囲】
【請求項１】
側溝ブロックの上部開口部に配置される側溝用融雪具であって、
前記融雪具は、前記側溝ブロックの上部開口部に載置可能な蓋部材と、雪堰止部材とからなり、
前記蓋部材は、投雪用開閉部を備え、
前記雪堰止部材は、板状部と、前記板状部の上方に設けられ、前記側溝ブロックもしくは前記蓋部材の下部の両側部に載置可能な懸架部と、前記懸架部と前記板状部を連結し、通水を許容する連結部とを備え、
前記雪堰止部材は、前記懸架部が、前記側溝ブロックもしくは前記蓋部材の下部に載置された状態において、前記板状部の下端が前記側溝ブロックの内底面に当接し、保持されるものとなっており、
さらに、前記板状部は、上端中央部より下方に延びる中央通水用切欠部と、両側部下部に設けられ、前記側溝ブロックの底部側部角部との間に、側部下部通水部を形成する側部下部切欠部を備えることを特徴とする側溝用融雪具。
【請求項２】
前記蓋部材は、前記投雪用開閉部より下部に設けられ、前記雪堰止部材の非使用時に、前記雪堰止部材を前記蓋部材の下面とほぼ向かい合う状態にて保持するための雪堰止部材保持部を備えている請求項１に記載の側溝用融雪具。
【請求項３】
前記雪堰止部材の前記懸架部は、前記側溝ブロックの内側上部の向かい合う段差部もしくは側壁上面に載置可能である請求項１または２に記載の側溝用融雪具。
【請求項４】
前記板状部は、下端部に設けられた底部通水用切欠部を備えている請求項１ないし３のいずれかに記載の側溝用融雪具。
【請求項５】
前記板状部は、両側部上部に設けられ、側部上部通水部を形成する側部上部切欠部を備えている請求項１ないし４のいずれかに記載の側溝用融雪具。
【請求項６】
前記中央通水用切欠部は、下端より上に向かって幅が広くなっている請求項１ないし５のいずれかに記載の側溝用融雪具。
【請求項７】
前記側部下部切欠部は、角部が湾曲状もしくは斜めに切断された形状となっている請求項１ないし６のいずれかに記載の側溝用融雪具。
【請求項８】
前記雪堰止部材の前記懸架部は、前記板状部の上方に設けられ、かつ、前記板状部とほぼ平行に設けられた棒状懸架部であり、前記連結部は、前記板状部と前記棒状懸架部を連結する２本の棒状部材により形成されている請求項１ないし７のいずれかに記載の側溝用融雪具。
側部下部切欠部
【請求項９】
上部開口部を有する側溝ブロックと、前記側溝ブロックの前記上部開口部に載置される請求項１ないし８のいずれかに記載の側溝用融雪具とからなる融雪用側溝構造体。
【発明の詳細な説明】
【技術分野】
【０００１】
本発明は、側溝の投雪口に設けられる側溝用融雪具および融雪用側溝構造体に関する。
【背景技術】
【０００２】
ある程度の降雪がある地域では、道路の側溝に水を流し、その流水の力で投入される雪を運搬する流雪溝といわれるものが設けられている。流雪溝には、投雪等のための開口部を持ち、開口部には、ヒンジ（蝶番）付蓋が設けられている。投雪時には、この蓋を開き、蓋下のフレームを通して投雪が行われる。
しかし、投雪された雪は、水流に乗り、下流に流れるが、いずれかの場所でたまり、たまった場所において水流が遮断され、水があふれることが多々生じていた。
【０００３】
実用新案登録２５０６４６１号公報（特許文献１）のものでは、投雪口１の地上に面する上縁には縁金２が取付けられており、該縁金２の内側に、複数個の断面Ｌ形の十字枠受金３が内方に突出するにして固定されている。該受金３には、転落防止用鋼製十字枠４が載置するようにして取付けられており、該十字枠４を蔽うようにしてヒンジ付格子蓋５ａが、上記縁金２に取付けられている。
特開２００５−１１３６０９（特許文献２）には、上面が開口した開口部４の位置において、両側壁３に止水板２を挿脱可能な止水板ガイド用凹部３０を設け、一側壁に止水板保管用部材３１を設け、下流側端部に下流側から上流側へ向かって両側壁面から突出する突起部３２に係止可能な第１係止部１０を設け、第１係止部１０から間隔を空けた上流側に、両側壁面３、３から突出する突起部３２、３２に上流側からスライドして係止可能な複数の第２係止部１１を設けてなる平面通水部材１を有する流融雪溝が開示されている。
【先行技術文献】
【特許文献】
【０００４】
【特許文献１】実用新案登録２５０６４６１号公報
【特許文献２】特開２００５−１１３６０９
【発明の概要】
【発明が解決しようとする課題】
【０００５】
特許文献１のものでは、この転落防止用鋼製十字枠４は、雪の流れを止めることはできず、投雪された雪は、水流に乗り、下流に流れるが、いずれかの場所でたまり、たまった場所において水流が遮断され、水があふれることが生じる。
また、特許文献２のものでは、止水板２による止水度が高く、この流融雪溝において、過剰な雪を投雪した場合、雪がたまり、水があふれることが生じる可能が高い。
そこで、本発明は、ある程度の通水性を有し、雪だまりによる溢水を防止し、十分な融雪機能を備える側溝用融雪具および融雪用側溝構造体を提供するものである。
【課題を解決するための手段】
【０００６】
上記目的を達成するものは、以下のものである。
（１）  側溝ブロックの上部開口部に配置される側溝用融雪具であって、
前記融雪具は、前記側溝ブロックの上部開口部に載置可能な蓋部材と、雪堰止部材とからなり、
前記蓋部材は、投雪用開閉部を備え、
前記雪堰止部材は、板状部と、前記板状部の上方に設けられ、前記側溝ブロックもしくは前記蓋部材の下部の両側部に載置可能な懸架部と、前記懸架部と前記板状部を連結し、通水を許容する連結部とを備え、
前記雪堰止部材は、前記懸架部が、前記側溝ブロックもしくは前記蓋部材の下部に載置された状態において、前記板状部の下端が前記側溝ブロックの内底面に当接し、保持されるものとなっており、
さらに、前記板状部は、上端中央部より下方に延びる中央通水用切欠部と、両側部下部に設けられ、前記側溝ブロックの底部側部角部との間に、側部下部通水部を形成する側部下部切欠部を備える側溝用融雪具。
【０００７】
（２）  前記蓋部材は、前記投雪用開閉部より下部に設けられ、前記雪堰止部材の非使用時に、前記雪堰止部材を前記蓋部材の下面とほぼ向かい合う状態にて保持するための雪堰止部材保持部を備えている上記（１）に記載の側溝用融雪具。
（３）  前記雪堰止部材の前記懸架部は、前記側溝ブロックの内側上部の向かい合う段差部もしくは側壁上面に載置可能である上記（１）または（２）に記載の側溝用融雪具。
（４）  前記板状部は、下端部に設けられた底部通水用切欠部を備えている上記（１）ないし（３）のいずれかに記載の側溝用融雪具。
（５）  前記板状部は、両側部上部に設けられ、側部上部通水部を形成する側部上部切欠部を備えている上記（１）ないし（４）のいずれかに記載の側溝用融雪具。
（６）  前記中央通水用切欠部は、下端より上に向かって幅が広くなっている上記（１）ないし（５）のいずれかに記載の側溝用融雪具。
（７）  前記側部下部切欠部は、角部が湾曲状もしくは斜めに切断された形状となっている上記（１）ないし（６）のいずれかに記載の側溝用融雪具。
（８）  前記雪堰止部材の前記懸架部は、前記板状部の上方に設けられ、かつ、前記板状部とほぼ平行に設けられた棒状懸架部であり、前記連結部は、前記板状部と前記棒状懸架部を連結する２本の棒状部材により形成されている上記（１）ないし（７）のいずれかに記載の側溝用融雪具。
側部下部切欠部
【０００８】
上記目的を達成するものは、以下のものである。
（９）  上部開口部を有する側溝ブロックと、前記側溝ブロックの前記上部開口部に載置される上記（１）ないし（８）の側溝用融雪具とからなる融雪用側溝構造体。
【発明の効果】
【０００９】
本発明の側溝ブロックの上部開口部に配置される側溝用融雪具は、側溝ブロックの上部開口部に載置可能な蓋部材と、雪堰止部材とからなり、蓋部材は、投雪用開閉部を備え、雪堰止部材は、板状部と、板状部の上方に設けられ、側溝ブロックもしくは蓋部材の下部の両側部に載置可能な懸架部と、懸架部と板状部を連結し、通水を許容する連結部とを備え、雪堰止部材は、懸架部が、側溝ブロックもしくは蓋部材の下部に載置された状態において、板状部の下端が側溝ブロックの内底面に当接し、保持されるものとなっており、さらに、板状部は、上端中央部より下方に延びる中央通水用切欠部と、両側部下部に設けられ、側溝ブロックの底部側部角部との間に、側部下部通水部を形成する側部下部切欠部を備えている。
【００１０】
雪堰止部材を、懸架部が側溝ブロックもしくは蓋部材の下部の下流側となる位置に載置し、板状部の下端が側溝ブロックの内底面に当接し、保持させることにより、下流側に向かって斜め上方に傾斜するものなる。このため、投雪された雪は、流下するためには、雪堰止部材を乗り越える必要があるため、流下が確実に規制され、水は、雪の上を乗り越えることにより流下する。側溝を流れる水は、雪堰止部材による抵抗を受けるが、雪堰止部材は、中央通水用切欠部および側部下部切欠部を有するため、雪に接触した水は、中央通水用切欠部、側部下部切欠部を通り、ある程度の流量にて流下する。このため、投入された雪に起因する水のあふれるが生じることがない。また、雪は、流れる水に確実に接触するため、良好に融雪される。
【図面の簡単な説明】
【００１１】
【図１】図１は、本発明の実施例の側溝用融雪具の正面図である。
【図２】図２は、図１のＡ−Ａ線断面図である。
【図３】図３は、図１に示した側溝用融雪具および融雪用側溝構造体の平面図である。
【図４】図４は、図１に示した側溝用融雪具および融雪用側溝構造体の縦断面図である。
【図５】図５は、図１に示した側溝用融雪具および融雪用側溝構造体の作用を説明するための説明図である。
【図６】図６は、図１に示した側溝用融雪具および融雪用側溝構造体の作用を説明するための説明図である。
【図７】図７は、図１に示した側溝用融雪具および融雪用側溝構造体に使用される雪堰止部材の右側面図である。
【図８】図８は、本発明の実施例の側溝用融雪具および融雪用側溝構造体に使用される他の例の雪堰止部材の右側面図である。
【図９】図９は、本発明の実施例の側溝用融雪具および融雪用側溝構造体に使用される他の例の雪堰止部材の右側面図である。
【図１０】図１０は、図１に示した側溝用融雪具および融雪用側溝構造体の作用を説明するための説明図である。
【図１１】図１１は、図１に示した側溝用融雪具および融雪用側溝構造体の作用を説明するための説明図である。
【図１２】図１２は、図１に示した側溝用融雪具および融雪用側溝構造体の作用を説明するための説明図である。
【図１３】図１３は、図１に示した側溝用融雪具および融雪用側溝構造体の作用を説明するための説明図である。
【図１４】図１４は、本発明の他の実施例の側溝用融雪具および融雪用側溝構造体を説明するための説明図である。
【図１５】図１５は、本発明の他の実施例の側溝用融雪具および融雪用側溝構造体を説明するための説明図である。
【発明を実施するための形態】
【００１２】
本発明の側溝用融雪具および融雪用側溝構造体を図面に示した実施例を用いて説明する。
本発明の側溝ブロック５の上部開口部に配置される側溝用融雪具１は、側溝ブロック５の上部開口部に載置可能な蓋部材２と、雪堰止部材４とからなる。蓋部材２は、投雪用開閉部３ａ，３ｂを備える。雪堰止部材４は、板状部４１と、板状部４１の上方に設けられ、側溝ブロック５もしくは蓋部材２の下部の両側部に載置可能な懸架部４２ａ，４２ｂと、懸架部４２ａ，４２ｂと板状部４１を連結し、通水を許容する連結部４３，４４とを備え、雪堰止部材４は、懸架部４２ａ，４２ｂが、側溝ブロック５もしくは蓋部材２の下部に載置された状態において、板状部４１の下端が側溝ブロック５の内底面に当接し、保持されるものとなっている。さらに、板状部４１は、上端中央部より下方に延びる中央通水用切欠部４５と、両側部下部に設けられ、側溝ブロック５の底部側部角部との間に、側部下部通水部８３、８４を形成する側部下部切欠部４６ａ，４６ｂを備えている。
本発明の融雪用側溝構造体は、上部開口部を有する側溝ブロック５と、側溝ブロック５の上記の上部開口部に配置された上記の側溝用融雪具１とからなる。
本発明の溝用融雪具および融雪用側溝構造体に使用される側溝ブロックとしては、上面が開口した落ちふた式側溝ブロック、上ぶた式Ｕ形側溝ブロックが好適である。
【００１３】
図１ないし図６に図示する実施例では、落ちふた式側溝ブロック５が用いられている。この側溝ブロック５は、底板部５１と、底板部５１の両側部より上方に延びる側壁５２ａ，５２ｂと、側壁５２ａ，５２ｂの上部に形成された向かい合う第１の段差部５４ａおよび第２の段差部５４ｂからなる蓋受部と、第１の段差部５４ａおよび第２の段差部５４ｂより上方に延びる側壁上部５３ａ，５３ｂを備えている。なお、図１は、側溝ブロック５のみを破断した状態における側溝用融雪具の正面図である。
【００１４】
側溝用融雪具１は、側溝ブロック５の上部開口部に載置可能な蓋部材２と、雪堰止部材４とからなる。
この実施例の融雪具１では、雪堰止部材４は、板状部４１と、板状部４１の上方に設けられた懸架部４２ａ，４２ｂと、懸架部４２ａ，４２ｂと板状部４１を連結し、通水を許容する連結部４３，４４とを備える。そして、懸架部４２ａ，４２ｂは、図２に示すように、側溝ブロック５に載置可能なものとなっている。具体的には、側溝ブロック５の側壁に設けられた段差部５４ａ、５４ｂに載置可能なものとなっている。そして、雪堰止部材４は、懸架部４２ａ，４２ｂが、側溝ブロック５の段差部５４ａ、５４ｂに載置された状態において、板状部４１の下端が側溝ブロック５の内底面に当接し、下流側に向かって斜め上方に傾斜する状態にて、保持されるものとなっている。このため、雪堰止部材４に当接した水流は、斜め上方に押し上げられるものとなっている。
【００１５】
また、この実施例の雪堰止部材４では、板状部４１は、側溝の断面の全体を堰き止めるものではなく、底部側のみに位置するものとなっており、板状部４１の上部である連結部４３，４４部分は、通水を許容する。このため、雪堰止部材４に当接し斜め上方に押し上げられ、かつ、板状部４１を乗り越えた水は、流下する。板状部４１としては、図１に示すように傾斜した状態において、側溝の底面より、側溝の深さ（底面と段差部間の高さ）の１／３〜２／３程度に位置するものであることが好ましい。板状部４１は、開口を持たない平板状のものが好適である。
【００１６】
そして、板状部４１には、上端中央部より下方に延びる中央通水用切欠部４５が設けられており、この切欠部４５により、中央通水部８１が形成されている。さらに、中央通水用切欠部４５は、図２，図７に示すように、下端より上に向かって幅が広くなっていることが好ましい。このようにすることにより。雪の堰き止め効果を維持し、かつ、板状部の中央上部に良好な通水機能を付与できる。中央通水用切欠部４５の内縁上部は、図７に示すように、内側に膨らんだ円弧状であることが好ましい。
【００１７】
さらに、板状部４１には、両側部下部に設けられ、側溝ブロック５の底部側部角部との間に、側部下部通水部８３、８４を形成する側部下部切欠部４６ａ，４６ｂは、直線状に斜めに切断された形状となっている。このため、図２に示すように、この実施例の側溝用融雪具１では、雪堰止部材４を側溝内に配置した状態において、側溝ブロック５の底部側部角部と雪堰止部材４間には、断面が略三角形状の側部下部通水部８３，８４が形成される。雪は、空気を含むため、水面側に位置し、この側部下部通水部８３，８４より流下することはない。なお、側部下部切欠部４６ａ，４６ｂは、角部が外側もしくは内側に湾曲した湾曲状のものであってもよい。
【００１８】
さらに、この実施例の板状部４１では、下端部に設けられた底部通水用切欠部４８を備えており、この底部通水用切欠部４８により、側溝ブロックの内底面と板状部の下端間に底部通水部８２が形成されている。この底部通水用切欠部４８を設けることにより、側溝ブロックの内底面と板状部の下端間の当接部が減少し、両者の当接に起因する側溝ブロック内底面の損傷を抑制する。
【００１９】
さらに、この実施例の板状部４１では、両側部上部に設けられ、側部上部通水部８５，８６を形成する側部上部切欠部４７ａ，４７ｂを備えている。側部上部通水用切欠部４７ａ，４７ｂは、角部が外側に湾曲した湾曲状のものとなっている。なお、切欠部４７ａ，４７ｂは、角部が斜めに直線状に切り欠かれたものであってもよい。
【００２０】
そして、この実施例の雪堰止部材４では、懸架部４２ａ，４２ｂは、板状部４１の上方に設けられ、かつ、板状部４１とほぼ平行に設けられた棒状懸架部４２ａ，４２ｂであり、連結部４３，４４は、板状部４１と棒状懸架部４２ａ，４２ｂを連結する２本の棒状部材４３，４４により形成されている。具体的には、２本の棒状部材４３，４４は、所定長離間し、一方の棒状部材４３の一端は、雪堰止部材４の板状部４１の中央通水用切欠部４５と板状部４１の一方の側部との間に固定されており、他方の棒状部材４４の一端は、雪堰止部材４の板状部４１の中央通水用切欠部４５と板状部４１の他方の側部との間の側部側に固定されている。なお、この実施例の雪堰止部材４では、懸架部４２ａ，４２ｂは、１本の棒状シャフト４２の両端部により形成されている。しかし、棒状シャフト４２は、欠損部を有し、２つに分離しているものであってもよい。
【００２１】
なお、雪堰止部材としては、図８に示す雪堰止部材４ａのように、板状部４１ａが側部上部通水用切欠部４７ａ，４７ｂを備えないものであってもよい。さらには、図９に示す雪堰止部材４ｂのように、板状部４１ｂが、側部上部通水用切欠部４７ａ，４７ｂを備えず、かつ、側部通水用切欠部４９ａ，４９ｂを備えるものであってもよい。側部通水用切欠部４９ａ，４９ｂにより、側溝ブロックの内側面と板状部の側部間に側部通水部が形成される。
【００２２】
側溝ブロック５の上部開口部に載置可能な蓋部材２は、図１ないし図６に示すように、矩形フレームと、矩形フレームに回動可能に軸支された投雪用開閉部３ａ，３ｂを備える。矩形フレームは、側溝の内壁とほぼ平行であり、向かい合う２つの横方向枠部材２１，２２と、２つの横方向枠部材２１，２２の端部間を連結する縦方向枠部材２５，２６を備える。縦方向枠部材２５，２６の長さ、言い換えれば、２つの横方向枠部材２１，２２間の距離は、側溝ブロック５の第１の段差部５４ａおよび第２の段差部５４ｂの外側の内壁面間距離（言い換えれば、側壁上部５３ａ，５３ｂの内壁間距離）より若干短いものとなっている。
【００２３】
この実施例の蓋部材２では、図２ないし図６に示すように、横方向枠部材２１，２２の下面には、所定長延びる脚部材２３，２４が設けられている。この実施例では、脚部材２３，２４は、断面ロ型の角筒状のものとなっている。そして、この実施例の側溝用融雪具１では、この脚部材２３，２４が、側溝ブロック５の第１の段差部５４ａおよび第２の段差部５４ｂの上面に載置される。
【００２４】
また、この実施例の蓋部材２では、図２ないし図６に示すように、横方向枠部材２１，２２は、断面がＬ字状となっており、内側に突出する開閉蓋載置部２１ａ，２２ａを備えている。また、縦方向枠部材２５，２６の側部には、外方に延出する延出部２７，２８が設けられている。
【００２５】
そして、蓋部材２は、矩形フレームに回動可能に軸支された２つの投雪用開閉部３ａ，３ｂを備える。投雪用開閉部３ａ，３ｂは、所定の厚さと、多数の開口部を有するグレーチング状のものとなっている。このため、上方より、側溝の雪堰止部材を含む状況を確認可能なものとなっている。
【００２６】
そして、投雪用開閉部３ａ，３ｂは、一端部において、矩形フレームに回動可能（開閉可能）に保持されている。具体的には、投雪用開閉部３ａ，３ｂは、一端側に設けられた円筒部３２ａ，３２ｂを有し、矩形フレームには、円筒部３２ａ，３２ｂを貫通し、両端部２９ａ、２９ｂが、矩形フレームの縦方向枠部材２５，２６の一端部に保持されたシャフト２９を備えている。投雪用開閉部３ａ，３ｂは、シャフト２９を中心軸とし、回動による開閉が可能となっている。そして、図６に示すように、投雪用開閉部３ａ，３ｂを開くことにより、側溝内への投雪が可能となる。
【００２７】
この実施例の投雪用開閉部３ａ，３ｂは、鋼材を格子状に組んだグレーチング状のものとなっている。具体的には、投雪用開閉部３ａ，３ｂは、鋼板により形成された矩形枠３１ａ，３１ｂと、矩形枠３１ａ，３１ｂの横方向の鋼板製の枠部材に対応した長さの鋼板を平行に多数配置し、これらの両端を矩形枠の縦方向の鋼板製の枠部材に溶接し、複数の内側横方向仕切板３３ａ、３３ｂを設け、さらに、複数の内側横方向仕切板３３ａ、３３ｂ間および矩形枠３１ａ，３１ｂ間に縦方向に鋼材（例えば、更に角棒を捻って形成されたツイストバー）を配置し、溶接することにより形成された内側縦方向補強部３４ａ，３４ｂを備えている。
【００２８】
このため、投雪用開閉部３ａ，３ｂは、格子状の構造と、多数の貫通する開口部を有する。さらに、この投雪用開閉部３ａ，３ｂは、矩形枠３１ａ，３１ｂの一方の横方向枠部材の側面に円筒部３２ａ，３２ｂが固定されており、矩形枠３１ａ，３１ｂの他方の横方向枠部材の内側には、開閉用把持部３５ａ，３５ｂが形成されている。開閉用把持部３５ａ，３５ｂは、内側横方向仕切板および内側縦方向補強部の欠損部となっており、手を挿入可能である。
【００２９】
さらに、この実施例の側溝用融雪具１では、蓋部材２は、投雪用開閉部３ａ，３ｂより下部に設けられ、雪堰止部材４の非使用時に、雪堰止部材４を蓋部材の下面とほぼ向かい合う状態にて保持するための雪堰止部材保持部を備えている。
【００３０】
この実施例の側溝用融雪具１では、図６に示すように、雪堰止部材保持部は、蓋部材２の投雪用開閉部３ａ，３ｂより下部の両側部に設けられ、内側に延出する向かい合う２つの延出部２３ａ，２４ａを備えている。そして、図１０ないし図１２に示すように、懸架部４２ａ，４２ｂが側溝ブロック５もしくは蓋部材２の下部に載置された状態において、雪堰止部材４の板状部４１の両側部は、延出部２３ａ，２４ａの上に載置可能となっている。このため、図９に示すように、雪堰止部材４の非使用時に、雪堰止部材４を蓋部材の下面とほぼ向かい合う状態にて保持される。この状態において、雪堰止部材４は、水流の障害とならない。また、雪堰止部材４の存在は、投雪用開閉部３ａ，３ｂの上面より、容易に確認できる。
【００３１】
次に、本発明の側溝用融雪具１の作用を図面を用いて説明する。
最初に、投雪用開閉部３ａ，３ｂを開き、図１２に示す状態となっている雪堰止部材４を引き上げ、雪堰止部材４の板状部４１の両側部を延出部２３ａ，２４ａの上より離脱させた後、板状部４１を側溝内に入れ、懸架部４２ａ，４２ｂを側溝ブロック５の第１の段差部５４ａおよび第２の段差部５４ｂの上面に載置する。これにより、図１ないし図４に示すように、板状部４１の下端が側溝ブロック５の内底面に当接し、下流側に向かって斜め上方に傾斜する状態にて保持される。
【００３２】
そして、開かれている投雪用開閉部３ａ，３ｂより、雪を側溝内に投入する。図１３に示すように、雪堰止部材４の板状部４１により、側溝内を流れる水流のある程度の部分が一時的に堰き止められ、雪堰止部材４の上流側の水位が上がり、貯留水量が増加する。投入された雪１２は、雪堰止部材４の板状部４１の上流側の一時的貯留水１３の上部に浮いた状態となり、流れる水に接触し、融解する。また、雪堰止部材４を乗り越えた水１４は、下流側に流下する。また、雪堰止部材４の板状部４の上部に形成された中央通水部８１、板状部４と側溝ブロック間側部下部通水部８３，８４を通り、ある程度の通水が確保されているため、過剰な貯水、側溝からの溢水を生じることがない。
【００３３】
上述した実施例では、雪堰止部材４の懸架部４２ａ，４２ｂは、側溝ブロック５の第１の段差部５４ａおよび第２の段差部５４ｂの上面に載置されるものとなっていたが、これに限定されるものではない。
例えば、図１４に示す実施例の側溝用融雪具１ａのように、蓋部材２ａは、雪堰止部材４の懸架部４２ａ，４２ｂを懸架する平板状の載置部６１を備えるものであってもよい。この実施例では、載置部６１は、矩形フレームの横方向枠部材２１，２２の下部に、平板状の載置部６１を備えている。
【００３４】
また、本発明の側溝用融雪具１の使用の対象となる側溝ブロックは、上述した落ちふた式側溝ブロック５に限定されるものではなく、図１５に示すように、上ぶた式Ｕ形側溝ブロック５ａにも使用できる。この実施例では、側溝ブロック５ａの側壁上面５５ａ，５５ｂに、雪堰止部材４の懸架部４２ａ，４２ｂが載置される。
【符号の説明】
【００３５】
１  側溝用融雪具
２  蓋部材
３ａ，３ｂ  投雪用開閉部
４  雪堰止部材
５  側溝ブロック
４１  板状部
４２ａ，４２ｂ  懸架部
４５  中央通水用切欠部
４６ａ，４６ｂ  側部下部切欠部
【図１】
2019019524.tif 000003
【図２】
2019019524.tif 000004
【図３】
2019019524.tif 000005
【図４】
2019019524.tif 000006
【図５】
2019019524.tif 000007
【図６】
2019019524.tif 000008
【図７】
2019019524.tif 000009
【図８】
2019019524.tif 000010
【図９】
2019019524.tif 000011
【図１０】
2019019524.tif 000012
【図１１】
2019019524.tif 000013
【図１２】
2019019524.tif 000014
【図１３】
2019019524.tif 000015
【図１４】
2019019524.tif 000016
【図１５】
2019019524.tif 000017